(57)【要約】【課題】取り付けが容易な直流開閉器を提供する【解決手段】直流開閉器１のケース５は、入力端子１１ａ，１１ｂと出力端子１２ａ，１２ｂとの間の電路、及び電路を開閉する第１及び第２の開閉部を収容する。ケース５において、入力端子１１ａ，１１ｂと出力端子１２ａ，１２ｂとを結ぶ線分に沿う方向の両端部には、螺子よって取付対象に固定される取付部５１が設けられている。取付部５１は、先の線分に沿う方向へ延びる延出片５２と、当該延出片５２に形成され他側の取付部を中心とする円の接線方向において同他側の取付部５１に螺入される螺子７の回転方向側が開口する溝部５４とからなる。【選択図】図７
2014056733.tif 000002
【特許請求の範囲】
【請求項１】
第１の端子と第２の端子との間の電路、及び当該電路を開閉する開閉部を収容するケースとを備え、前記ケースにおける前記第１の端子と前記第２の端子とを結ぶ線分に沿う方向の両端部には、螺子によって取付対象に固定される取付部が設けられている直流開閉器において、
前記取付部は、前記線分に沿う方向へ延びる板部と、当該板部に形成され他側の取付部を中心とする円の接線方向において同他側の取付部に螺入される螺子の回転方向側が開口する溝部とからなることを特徴とする直流開閉器。
【請求項２】
請求項１に記載の直流開閉器において、
前記取付部は、前記溝部よりも前記接線方向の外側に、螺入される螺子の回転によって、当該螺子のヘッド部分により巻き込まれる係止部を備えることを特徴とする直流開閉器。
【請求項３】
請求項１又は２に記載の直流開閉器において、
前記溝部は、時計方向側へ向けて開口することを特徴とする直流開閉器。
【請求項４】
請求項１〜３のうちいずれか一項に記載の直流開閉器において、
前記電路は、前記線分に直立する方向に並設される第１及び第２の電路を含み、
前記取付部は、螺子の螺入方向から見て２つの第１の端子の間及び２つの第２の端子の間にそれぞれ設けられていることを特徴とする直流開閉器。
【請求項５】
請求項１〜４のうちいずれか一項に記載の直流開閉器において、
前記取付部は、前記溝部が開口する方向とは反対側に設けられて前記板部とを連結するリブを備えることを特徴とする直流開閉器。
【発明の詳細な説明】
【技術分野】
【０００１】
本発明は、直流開閉器に関するものである。
【背景技術】
【０００２】
近年、省エネルギーや、節電を目的として複数の太陽光パネルが相互接続された太陽光パネルモジュールを設置する住宅が増えている。太陽光パネルは、光起電力効果を利用して太陽の光エネルギーから直流電力を生成する。太陽光パネルモジュールは、直流電力を交流電力に変換するインバータを介して分電盤（ブレーカー）と接続されている。太陽光パネルモジュールが生成した電力は、分電盤を介して住宅内に配設されるコンセントに供給される。
【０００３】
通常、太陽光パネルモジュールとインバータとの間には、例えば、特許文献１の直流開閉器が配設されている。直流開閉器は、太陽光パネルモジュールが生成した直流電力のインバータへの供給のオンオフを切り替える。直流開閉器をオンからオフに切り替えることにより、太陽光パネルモジュールの保守作業を安全に行うことができる。
【先行技術文献】
【特許文献】
【０００４】
【特許文献１】特開平１０−１５４４５８号公報
【発明の概要】
【発明が解決しようとする課題】
【０００５】
ところで、太陽光発電量は、太陽光パネルモジュールの量に比例する。このため、使用する電力の多くを太陽光発電でまかなう住宅には、多数の太陽光パネルモジュールが設置される。また、太陽光パネルモジュールが複数接続されたユニットの数だけ直流開閉器が必要とされる。特許文献１の直流開閉器は、直方体状に形成され、その長手方向における両端部に太陽光パネルモジュール及びインバータに接続される端子部がそれぞれ設けられている。このため、複数の直流開閉器は、その長手方向に並べることが難しい。すなわち、複数の直流開閉器は、その短手方向に並べられる。従って、通常、直流開閉器は、その長手方向の両端部に取付部が設けられる。そして、直流開閉器は、取付部にねじが螺入されることにより、分電盤等に取り付けられる。
【０００６】
しかしながら、このような直流開閉器では、取付部にねじが螺入されるときに、ねじの螺入に伴うねじと取付部との係合により、ねじが螺入される取付部を中心に直流開閉器が回転するため、取り付けに難があった。
【０００７】
本発明は、こうした実状に鑑みてなされたものであり、その目的は、取り付けが容易な直流開閉器を提供することにある。
【課題を解決するための手段】
【０００８】
上記課題を解決するために、本発明は、第１の端子と第２の端子との間の電路、及び当該電路を開閉する開閉部を収容するケースとを備え、前記ケースにおける前記第１の端子と前記第２の端子とを結ぶ線分に沿う方向の両端部には、螺子によって取付対象に固定される取付部が設けられている直流開閉器において、前記取付部は、前記線分に沿う方向へ延びる板部と、当該板部に形成され他側の取付部を中心とする円の接線方向において同他側の取付部に螺入される螺子の回転方向側が開口することを特徴とする。
【０００９】
また、上記構成において、前記取付部は、前記溝部よりも前記接線方向の外側に、螺入される螺子の回転によって、当該螺子のヘッド部分により巻き込まれる係止部を備えることを特徴とする。
【００１０】
また、上記構成において、前記溝部は、時計方向側へ向けて開口することを特徴とする。
また、上記構成において、前記電路は、前記線分に直立する方向に並設される第１及び第２の電路を含み、前記取付部は、螺子の螺入方向から見て２つの第１の端子の間及び２つの第２の端子の間にそれぞれ設けられていることを特徴とする。
【００１１】
また、上記構成において、前記取付部は、前記溝部が開口する方向とは反対側に設けられて前記板部とを連結するリブを備えることを特徴とする。
【発明の効果】
【００１２】
本発明の直流開閉器によれば、取り付けが容易となる。
【図面の簡単な説明】
【００１３】
【図１】側面カバーが取り外された状態の直流開閉器の側面図。
【図２】側面カバーを含む図１の２−２線における断面図。
【図３】側面カバーを含む図１の３−３線における断面図。
【図４】側面カバーを含む図１の４−４線における断面図。
【図５】消弧部の分解斜視図。
【図６】消弧部のアーク、及び磁路を示す断面図。
【図７】直流開閉器の上面図。
【図８】直流開閉器の斜視図。
【発明を実施するための形態】
【００１４】
以下、本発明の直流開閉器を具体化した一実施の形態を図１〜図８に基づいて説明する。
図１に示すように、直流開閉器１のケース５は、略直方状に形成されるとともに、その内部には、プラス極およびマイナス極に対応した２組の電路１０ａ，１０ｂを有する。電路１０ａ，１０ｂは、ケース５の長手方向へ延び、それらの両端部には、それぞれケース５から露出する入力端子１１ａ，１１ｂ、及び出力端子１２ａ，１２ｂが設けられている。なお、図３に示すように、ケース５は、第１のケース５ａ、第２のケース５ｂ、側面カバー５ｃからなる。図３及び図４に示すように、入力端子１１ａ及び出力端子１２ａは、第１のケース５ａと第２のケース５ｂとの間に、入力端子１１ｂ及び出力端子１２ｂは、第２のケース５ｂと側面カバー５ｃとの間に、それぞれ配設されている。
【００１５】
図１に示すように、入力端子１１ａ，１１ｂには、図示しない太陽光パネルモジュールのプラス端子＋Ｐ１、マイナス端子−Ｐ１がそれぞれ接続されている。詳しくは、図４に示すように、プラス端子＋Ｐ１、マイナス端子−Ｐ１は、螺子７によって、入力端子１１ａ，１１ｂに圧接されている。入力端子１１ａ，１１ｂは、高さ方向および幅方向ともに異なる位置に設けられている。すなわち、入力端子１１ａは、入力端子１１ｂの図中右上に位置し、入力端子１１ｂは、入力端子１１ａの図中左下に位置する。
【００１６】
また、図３に示すように、出力端子１２ａ，１２ｂには、図示しない電力変換装置のプラス端子＋Ｐ２、マイナス端子−Ｐ２がそれぞれ接続されている。詳しくは、プラス端子＋Ｐ２、マイナス端子−Ｐ２は、螺子７によって、出力端子１２ａ，１２ｂに圧接されている。出力端子１２ａ，１２ｂは、高さ方向および幅方向ともに異なる位置に設けられている。すなわち、出力端子１２ａは、出力端子１２ｂの図中左上に位置し、出力端子１２ｂは、出力端子１２ａの図中右下に位置する。このように、直流開閉器１は、各入力端子１１ａ，１１ｂ、及び各出力端子１２ａ，１２ｂを介して太陽光パネルモジュールと電力変換装置との間を導通可能である。
【００１７】
次に、直流開閉器１の内部構成について説明する。
図１に示すように、ケース５の内部には、両電路１０ａ，１０ｂを構成する第１及び第２の開閉部３０ａ，３０ｂと、ハンドル１５と、リンク機構１６と、が設けられている。
【００１８】
図２に示すように、第１及び第２の開閉部３０ａ，３０ｂは、直流開閉器１の幅方向に沿って段違いに設けられている。また、第１の開閉部３０ａは上側に、第２の開閉部３０ｂは下側に、それぞれ位置している。すなわち、これら第１及び第２の開閉部３０ａ，３０ｂの位置関係は、先に説明した入力端子１１ａ，１１ｂの位置関係、及び出力端子１２ａ，１２ｂの位置関係と同じとされている。また、第１及び第２の開閉部３０ａ，３０ｂは、高さ方向からみて一部が重なるように位置している。詳しくは、第１の開閉部３０ａの右側部分と、第２の開閉部３０ｂの左側部分とが上下方向（高さ方向）において重なっている。なお、第１の開閉部３０ａと、第２の開閉部３０ｂとの上下方向において重なっている部分の間は、開閉動作する際に生じる磁束によって互いに影響を受けることがない程度に離間している。
【００１９】
また、ケース５の内部において第１の開閉部３０ａの右側、すなわち、第２の開閉部３０ｂの上側には空間１４ａが形成されている。さらに、ケース５の内部において第１の開閉部３０ａの下側、すなわち、第２の開閉部３０ｂの左側には空間１４ｂが形成されている。
【００２０】
図２において一点鎖線で示すように、直流開閉器１は、同一のものが幅方向に沿って複数同じ向きで並べられている。各直流開閉器１は、太陽光パネルモジュールの数に対応して設けられる。この場合、中央の直流開閉器１における第１の開閉部３０ａと、その右隣の直流開閉器１における第１の開閉部３０ａとの間は、中央の直流開閉器１の内部の空間１４ａを挟んで距離Ｌ１だけ離間している。また、中央の直流開閉器１における第２の開閉部３０ｂと、その右隣の直流開閉器１における第２の開閉部３０ｂとの間は、右隣の直流開閉器１の内部の空間１４ｂを挟んで距離Ｌ２だけ離間している。すなわち、隣り合う直流開閉器１の第１の開閉部３０ａ同士の間は距離Ｌ１だけ、第２の開閉部３０ｂ同士の間は距離Ｌ２だけ、それぞれ離間している。距離Ｌ１，Ｌ２は、第１及び第２の開閉部３０ａ，３０ｂが開閉動作する際に生じる磁束によって隣り合う直流開閉器１の第１及び第２の開閉部３０ａ，３０ｂが影響を受けることがない程度の距離とされている。このように、空間１４ａ，１４ｂを設けることにより、第１及び第２の開閉部３０ａ，３０ｂは、磁束の影響をより受けにくくなる。
【００２１】
図１に示すように、第１及び第２の開閉部３０ａ，３０ｂは、入力端子１１ａ，１１ｂと接続された固定接触子１７ａ，１７ｂと、出力端子１２ａ，１２ｂと接続された可動接触子１８ａ，１８ｂと、これら固定接触子１７ａ，１７ｂの先端部及び可動接触子１８ａ，１８ｂの先端部を覆う消弧部１９ａ，１９ｂとを備える。なお、固定接触子１７ａ，１７ｂの先端部と可動接触子１８ａ，１８ｂの先端部とは、上下方向において互いに対向する。
【００２２】
ハンドル１５の操作部１５ａは、外部に露出している。ハンドル１５は、リンク機構１６に支持されている。リンク機構１６は、可動接触子１８ａ，１８ｂの一部を支持する。リンク機構１６は、ハンドル１５の回転に伴い各可動接触子１８ａ，１８ｂを高さ方向（図１中の上下方向）に変移させる。
【００２３】
固定接触子１７ａ，１７ｂは、長手方向（図１中の左右方向）に延びる薄板状に形成されている。また、固定接触子１７ａ，１７ｂの先端部において可動接触子１８ａ，１８ｂ側の面には、固定接点２１ａ，２１ｂが形成されている。
【００２４】
可動接触子１８ａ，１８ｂは、固定接触子１７ａ，１７ｂと同様に、長手方向（図中の左右方向）に延びる薄板状に形成されている。また、可動接触子１８ａ，１８ｂの先端部において固定接触子１７ａ，１７ｂ側の面には、可動接点２２ａ，２２ｂが形成されている。可動接点２２ａ，２２ｂは、可動接触子１８ａ，１８ｂの上下動に伴い、固定接点２１ａ，２１ｂに対して接離可能とされている。
【００２５】
第２の開閉部３０ｂの固定接触子１７ａ，１７ｂおよび可動接触子１８ａ，１８ｂは、先に説明した第１の開閉部３０ａと同様の構成とされている。
第１及び第２の開閉部３０ａ，３０ｂの消弧部１９ａ，１９ｂは異なる構成である。まず、第１の開閉部３０ａの消弧部１９ａの構成について説明する。
【００２６】
図５に示すように、第１の開閉部３０ａの消弧部１９ａは、磁気ヨーク３１と、一対の永久磁石３２と、絶縁ホルダ３３と、を備える。
各永久磁石３２は正方形の平板状に形成されるとともに、その厚さ方向にＳ極およびＮ極が着磁されている。
【００２７】
絶縁ホルダ３３は、図中の下側に開口した略Ｕ字状に形成されている。詳しくは、絶縁ホルダ３３は、一対の側壁３３ａ，３３ｂおよびその側壁３３ａ，３３ｂを連結する上壁３３ｃから構成されている。側壁３３ａ，３３ｂの外面には、永久磁石３２を装着可能とした収納穴３３ｄが形成されている。
【００２８】
磁気ヨーク３１は、フェライト等の磁性体で形成されるとともに、絶縁ホルダ３３の外面を覆うＵ字状に形成されている。
絶縁ホルダ３３の収納穴３３ｄに永久磁石３２がはめ込まれる。そして、その絶縁ホルダ３３に磁気ヨーク３１が上側からはめ込まれる。磁気ヨーク３１のＵ字腕部分は、永久磁石３２の外面に接触した状態に維持される。磁気ヨーク３１は、２つの永久磁石３２間での磁路を形成する。
【００２９】
次に、第２の開閉部３０ｂの消弧部１９ｂの構成について説明する。
図２に示すように、第２の開閉部３０ｂの消弧部１９ｂは、上記永久磁石３２と同一形状である一対の永久磁石３５を有する。両永久磁石３５は、可動接触子１８ｂおよび固定接触子１７ｂを挟んで幅方向に対面している。
【００３０】
次に、ケース５に設けられる取付部について説明する。
図７に示すように、ケース５の長手方向の両端部、正確には、第１のケース５ａの長手方向における両端部には、取付部５１が設けられている。取付部５１は、第１のケース５ａの下端部（図８参照）から当該第１のケース５ａの長手方向に延びる板状の延出片５２と、延出片５２の上面と第１のケース５ａの短側壁との間に連続するリブ５３と、延出片５２に設けられる溝部５４とを有している。
【００３１】
出力端子１２ａ，１２ｂ側のリブ５３は、延出片５２の左端面と連続するように、入力端子１１ａ，１１ｂ側のリブ５３は、延出片５２の右端面と連続するように、それぞれ設けられている。なお、延出片５２におけるリブ５３が設けられる部位、すなわち、ケースの基端部から外側に向かって伸びる部位を回動規制部５５とする。
【００３２】
出力端子１２ａ，１２ｂ側の溝部５４は、右側、すなわち、反対側（入力端子１１ａ，１１ｂ側）の取付部５１を中心とする円Ａの接線方向において、同反対側の取付部５１に取り付けられる螺子７の回転方向側が開口するとともに延出片５２の右端面から出力端子１２ａ，１２ｂ同士の間まで形成されている。入力端子１１ａ，１１ｂ側の溝部５４は、左側、すなわち、反対側（出力端子１２ａ，１２ｂ側）の取付部５１を中心とする円Ｂの接線方向において、同反対側の取付部５１に取り付けられる螺子７の回転方向側が開口するとともに延出片５２の左端面から入力端子１１ａ，１１ｂ同士の間まで形成されている。なお、延出片５２における溝部５４よりも先端側の部位、すなわち、回動規制部５５から円Ａ，Ｂの接線と平行に延びる部位を係止部５６とする。
【００３３】
次に、直流開閉器１の作用について説明する。
図１に示すように、両電路１０ａ，１０ｂに電流が流れている状態で、ハンドル１５の操作を通じて、各可動接触子１８ａ，１８ｂを固定接触子１７ａ，１７ｂから離間させる。このとき、固定接点２１ａ，２１ｂと、可動接点２２ａ，２２ｂとの間にはアークが生じる。アークは、両永久磁石３２，３２間に発生する磁束に交わるように発生する。
【００３４】
すなわち、図６に示すように、第１の開閉部３０ａにおける永久磁石３２は、固定接点２１ａと可動接点２２ａとの間で発生するアークに、電磁力学によるところのローレンツ力を作用させてアークを伸長させる。このとき、絶縁ホルダ３３は、アークが永久磁石３２および磁気ヨーク３１に橋絡しないよう、永久磁石３２および磁気ヨーク３１を保護する。アークを伸長させることで、アーク電圧を上昇させることができる。このアーク電圧が固定接点２１ａと可動接点２２ａとの間の印加電圧を超えたときにアークは消弧される。なお、２極を直列につないで構成した場合は、２極のアーク電圧の合計が電源電圧に達したときに消弧されることになる。よって、固定接点２１ａと可動接点２２ａとの間が電気的に遮断した状態となる。
【００３５】
第２の開閉部３０ｂにおける永久磁石３５も同様にアークを伸長させることでアークを消弧する。よって、固定接点２１ｂと可動接点２２ｂとの間も電気的に遮断した状態となる。
【００３６】
さて、図１に示すように、第１及び第２の開閉部３０ａ，３０ｂをはじめとして電路１０ａ，１０ｂは、上下方向において、互いに段違いである。特に、図２に示すように、第１及び第２の開閉部３０ａ，３０ｂは、幅方向においてオーバーラップしている。これにより、直流開閉器１の幅方向の大きさが抑制される。ひいては、複数の直流開閉器１を並べたときの全体の大きさが抑制される。
【００３７】
また、図３及び図４に示すように、入力端子１１ａ，１１ｂ及び出力端子１２ａ，１２ｂは、上下方向において、段違いとされているので、それぞれに接続される端子を圧接させるための螺子７に、径の大きいものを採用することができる。
【００３８】
図８に示すように、直流開閉器１は、取付部５１に螺子７が螺入されることにより、住宅等に取り付けられる。通常、螺子７は、右方向（時計方向）へねじられることにより螺入する。螺子７は、螺入する際、取付部５１と摺接する。すなわち、螺子７のヘッド部分と取付部５１との間には、摩擦力が作用する。この摩擦力により、直流開閉器１は、螺子７を中心として時計方向に回転しようとする。ここで、図７に示すように、螺子７が螺入される側と反対側（入力端子１１ａ，１１ｂ側）の取付部５１の溝部５４は、左側、すなわち、螺子７の時計方向側が開口している。言い換えれば、溝部５４の右側には、回動規制部５５が存在する。従って、螺子７が螺入される側と反対側の取付部５１に取り付けられた螺子７と回動規制部５５とが係合するため、直流開閉器１は回転しない。このため、直流開閉器１の取り付けが容易である。なお、延出片５２の回動規制部５５が設けられる部位は、リブ５３によって第１のケース５ａと連結されているので、直流開閉器１が回転しようとする際に螺子７と係合するだけの強度が十分に確保されている。また、リブ５３は、延出片５２の端面と連続するように設けられるので、リブ５３と溝部５４との間の距離が確保される。このため、より径の大きい螺子７を採用することができる。また、先の摩擦力により、溝部５４の開口が狭くなるように係止部５６が巻き込まれるので、直流開閉器１の取り付けがより強固なものとなる。
【００３９】
また、図７に示すように、出力端子１２ａ，１２ｂ側の溝部５４は、延出片５２の右端面から出力端子１２ａ，１２ｂ同士の間まで、入力端子１１ａ，１１ｂ側の溝部５４は、延出片５２の左端面から入力端子１１ａ，１１ｂ同士の間までそれぞれ設けられている。このため、図８に示すように、これらの各入力端子１１ａ，１１ｂ、及び各出力端子１２ａ，１２ｂが、太陽光パネルモジュールや電力変換装置の端子と接続されていても、これら各端子の間にドライバーを挿入することができるので、取付部５１に螺子７を螺入させやすい。
【００４０】
以上詳述したように、本実施形態によれば、以下に示す効果が得られる。
（１）第１のケース５ａの長手方向の両端部に、延出片５２、リブ５３、及び溝部５４からなる取付部５１を設けた。出力端子１２ａ，１２ｂ側の溝部５４は、延出片５２の右端面から出力端子１２ａ，１２ｂ同士の間まで、入力端子１１ａ，１１ｂ側の溝部５４は、延出片５２の左端面から入力端子１１ａ，１１ｂ同士の間までそれぞれ設けた。すなわち、出力端子１２ａ，１２ｂ側の溝部５４は右側が、入力端子１１ａ，１１ｂ側の溝部５４は左側が開口する。すなわち、これら溝部５４が開口する方向は、反対側の取付部５１に右螺子である螺子７が螺入するときの時計方向である。言い換えると、溝部５４の開口部とは反対側には、回動規制部５５が存在する。従って、螺子７が螺入される側とは反対側の取付部５１に取り付けられた螺子７と回動規制部５５とが係合するため、直流開閉器１は回転しない。このため、直流開閉器１の取り付けが容易である。
【００４１】
（２）螺子７を取り付けるときの摩擦力により、溝部５４の開口が狭くなるように巻き込まれる係止部５６を設けた。これにより、直流開閉器１の取り付けがより強固なものとなる。
【００４２】
（３）出力端子１２ａ，１２ｂ側のリブ５３は、延出片５２の左端面と連続するように、入力端子１１ａ，１１ｂ側のリブ５３は、延出片５２の右端面と連続するように、それぞれ設けた。すなわち、延出片５２は、リブ５３によって第１のケース５ａと接続されているので、直流開閉器１が回転しようとする際に螺子７と係合するだけの強度が十分に確保されている。
【００４３】
（４）螺子７の螺入方向からみたとき、溝部５４は、出力端子１２ａ，１２ｂ同士の間、又は入力端子１１ａ，１１ｂ同士の間までそれぞれ設けられている。このため、各入力端子１１ａ，１１ｂ、及び各出力端子１２ａ，１２ｂが、太陽光パネルモジュールや電力変換装置の端子と接続されていても、これら各端子の間にドライバーを挿入することができるので、取付部５１に螺子７を螺入させやすい。
【００４４】
なお、上記各実施形態は、以下のように変更してもよい。
・上記実施形態における直流開閉器１を直流遮断器として構成してもよい。図１に示すように、直流遮断器６０は、異常電流遮断手段としてソレノイドアクチュエータ１３を有する。ソレノイドアクチュエータ１３の可動部１３ａは、リンク機構１６に接続されている。ソレノイドアクチュエータ１３は、電路１０ａ，１０ｂに過電流が流れた場合に可動部１３ａを動作させて、固定接触子１７ａ，１７ｂから可動接触子１８ａ，１８ｂを離間させる。
【００４５】
・上記実施形態では、直流開閉器１を幅方向に複数並べた状態について説明したが、並べ方は、これに限らない。また、直流開閉器１は、単独で使用してもよい。
・上記実施形態では、１つの直流開閉器１に、２つの電路１０ａ，１０ｂが設けられたものについて説明したが、電路の数は、１つであってもよいし、３以上であってもよい。電路が複数ある場合には、複数の電路を幅方向においてオーバーラップするように設ければ、直流開閉器１の幅方向の大きさを抑制することができる。
【００４６】
・上記実施形態では、１つの直流開閉器１に、２つの電路１０ａ，１０ｂが設けられ、２つの電路１０ａ，１０ｂのそれぞれに消弧部１９ａ，１９ｂが設けられたものについて説明したが、消弧部は、どちらか一方を省略してもよい。
【００４７】
また、消弧部１９ａ，１９ｂの構成も適宜変更可能である。例えば、消弧部１９ａから磁気ヨーク３１を省略してもよい。
・上記実施形態では、各電路１０ａ，１０ｂの入力端子１１ａ，１１ｂには太陽光パネルモジュールのプラス端子、マイナス端子がそれぞれ接続されていた。しかし、各電路１０ａ，１０ｂの入力端子１１ａ，１１ｂに各太陽光パネルモジュールからのプラス端子のみ、又はマイナス端子のみを接続してもよい。また、入力端子１１ａ，１１ｂと出力端子１２ａ，１２ｂとを逆に使用してもよい。この場合、アーク電圧は、固定接点２１ａと可動接点２２ａとの間の印加電圧を超えたときにアークは消弧される。
【００４８】
・上記実施形態では、右螺子である螺子７を採用したが、左螺子を採用する場合には、溝部５４の開口部を設ける方向を、上記実施形態とは逆にする。このように構成すれば、上記実施形態と同様の効果を得ることができる。
【００４９】
・上記実施形態において、リブ５３を省略してもよい。この場合、延出片５２の厚みを厚くして、取付部５１の強度を高めればよい。
・上記実施形態において、リブ５３は、延出片５２の端面に設けられたが、必ずしも端面である必要はない。
【００５０】
・上記実施形態では、直流開閉器１は、太陽光によって発電された電力を電送するシステムに適用されたが、他の電力伝送システムに適用してもよい。
次に、上記実施形態及び上記別例から想起される技術的思想について追記する。
【００５１】
（イ）前記リブは、前記取付部における前記溝部が開口する方向と反対側の端面に設けられることを特徴とする直流開閉器。
【符号の説明】
【００５２】
１…直流開閉器、５…ケース、７…螺子、１０ａ，１０ｂ…電路、５１…取付部、５２…延出片（板部）、５３…リブ、５４…溝部、５５…回動規制部、５６…係止部。
【図１】
2014056733.tif 000003
【図２】
2014056733.tif 000004
【図３】
2014056733.tif 000005
【図４】
2014056733.tif 000006
【図５】
2014056733.tif 000007
【図６】
2014056733.tif 000008
【図７】
2014056733.tif 000009
【図８】
2014056733.tif 000010